【手続補正書】
【提出日】平成27年9月28日(2015.9.28)
【手続補正１】
【補正対象書類名】特許請求の範囲
【補正対象項目名】全文
【補正方法】変更
【補正の内容】
【特許請求の範囲】
【請求項１】
第３世代パートナーシッププロジェクトロングタームエボリューションアドバンスト（３ＧＰＰ  ＬＴＥ−Ａ）無線システムに関わる無線通信方法であって、
基地局によって、制御情報の送信のために無線サブフレームの物理アップリンク制御チャネル（ＰＵＣＣＨ）リソースを設定することと、
前記基地局によって、データ情報の送信のために前記無線サブフレームの物理アップリンク共有チャネル（ＰＵＳＣＨ）リソースをスケジューリングすることと、
前記基地局によって、無線サブフレームのためのＰＵＳＣＨリソースでデータ情報を送信するためにモバイルデバイスの集団の第１のサブセットをスケジューリングすることであって、前記第１のサブセットは、前記無線サブフレームのための前記ＰＵＣＣＨリソースで制御情報も同時並行して送信する、スケジューリングすることと、
前記基地局によって、前記無線サブフレームのための前記ＰＵＳＣＨリソースのみでデータ情報を送信するためにモバイルデバイスの前記集団の第２のサブセットをスケジューリングすることであって、前記第２のサブセットは、前記無線サブフレームのための前記ＰＵＳＣＨリソースで制御情報も送信する、スケジューリングすることと、
モバイルデバイスによって送信された多搬送波トラフィックのサブセットのための優先権を設定することであって、前記優先権は、前記モバイルデバイスが最大送信電力に制約される場合は前記多搬送波トラフィックの制御部のための目標送信電力を設定し、さらに、前記優先権は、データトラフィックが前記最大送信電力と前記目標送信電力の差を超えない電力で送信されるべきであることを示す、設定することと、
モバイルデバイスの前記集団の前記第１のサブセットに関するＵＬ送信電力制約を特定することであって、前記ＵＬ送信電力制約は、データ送信電力値と、前記データ送信電力値とは異なる制御送信電力値とを備える、特定することと、
を備える、方法。
【請求項２】
前記基地局によって、モバイルデバイスの前記集団の前記第１のサブセットのための別々の及び隣接するアップリンク（ＵＬ）周波数リソースに前記ＰＵＳＣＨリソース及び前記ＰＵＣＣＨリソースを割り当てることをさらに備える請求項１に記載の方法。
【請求項３】
前記基地局によって、モバイルデバイスの前記集団の前記第２のサブセットに関する単一搬送波制約を満たすためにデータ情報又は制御情報のいずれかの送信のために共通のＵＬ信号時間フレーム内でＵＬ周波数リソースの単一の隣接ブロックを割り当てることをさらに備える請求項１に記載の方法。
【請求項４】
前記基地局によって、モバイルデバイスの前記集団の前記第２のサブセットに関する単一搬送波制約を満たすためにデータ情報及び制御情報の両方の送信のために共通のＵＬ信号時間フレーム内でＵＬ周波数リソースの単一の隣接ブロックを割り当てることをさらに備える請求項１に記載の方法。
【請求項５】
前記基地局によって、前記ＰＵＳＣＨリソースにおける前記データ情報のための電力設定よりも前記ＰＵＣＣＨリソースにおける前記制御情報のための電力設定を優先させることをさらに備える請求項１に記載の方法。
【請求項６】
前記基地局によって、前記ＵＬ送信電力制約を満たすために前記制御情報に送信電力優先権を与えることをさらに備える請求項１に記載の方法。
【請求項７】
前記基地局によって、前記ＵＬ送信電力制約を満たすために前記データ情報に送信電力優先権を与えることをさらに備える請求項１に記載の方法。
【請求項８】
前記電力設定を前記優先させることは、前記ＬＴＥ−Ａ無線システムの単一サブフレームでの前記制御情報及び前記データ情報の送信に適用される請求項５に記載の方法。
【請求項９】
前記電力設定を優先させることは、前記制御情報のためのベースライン送信電力及びオフセット送信電力を指定することをさらに備える請求項５に記載の方法。
【請求項１０】
前記電力設定を優先させることは、前記データ情報のためのベースライン送信電力及びオフセット送信電力を指定することをさらに備える請求項５に記載の方法。
【請求項１１】
周波数分割多元接続アップリンク無線通信（ＦＤＭＡ  ＵＬ無線通信）のために構成された装置であって、
地理上のカバレッジエリア内で無線信号を送信及び受信するための通信インタフェースと、
前記ＦＤＭＡ  ＵＬ無線通信のために選択的単一搬送波及び多搬送波送信を提供するように設定された命令を格納するためのメモリと、
前記命令を実装するモジュールを実行するためのデータプロセッサと、を備え、前記モジュールは、
単一搬送波ＵＬ送信に限定される前記装置によってサービスが提供されるモバイルデバイスの第１のサブセット及び少なくとも多搬送波ＵＬ送信のために構成された前記モバイルデバイスの第２のサブセットを特定するパーシングモジュールと、
前記モバイルデバイスの前記第１のサブセット及び前記モバイルデバイスの前記第２のサブセットの単一搬送波及び多搬送波送信能力にそれぞれ基づいて前記モバイルデバイスのセットのためのＵＬリソースを割り当てるスケジューリングモジュールと、
前記モバイルデバイスの前記第２のサブセットのモバイルデバイスのＵＬ送信のためのＵＬ送信電力を指定する電力割り当てモジュールと、
前記モバイルデバイスによって送信された多搬送波トラフィックのサブセットのための優先権を設定する優先度モジュールであって、前記優先権は、前記モバイルデバイスが最大送信電力に制約される場合は前記多搬送波トラフィックの制御部のための目標送信電力を設定し、さらに、前記優先権は、データトラフィックが前記最大送信電力と前記目標送信電力の差を超えない電力で送信されるべきであることを示す、優先度モジュールと、
を備え、
前記電力割り当てモジュールは、前記ＵＬ送信が単一搬送波方式で送信される場合は第１のＵＬ送信電力値及び前記ＵＬ送信が多搬送波方式で送信される場合は第２のＵＬ送信電力値を指定し、
前記第２のＵＬ送信電力値は、データ送信電力値と、前記データ送信電力値とは異なる制御送信電力値とを備える、装置。
【請求項１２】
前記データ送信電力値は、前記ＵＬ送信のデータ部に適用され、前記制御送信電力値は、前記ＵＬ送信の制御部に適用され、さらに、前記データ送信電力値は、前記制御送信電力値と異なり、及び、前記データ部及び前記制御部は同時並行して送信される請求項１１に記載の装置。
【請求項１３】
多搬送波トラフィックの前記サブセットは、多搬送波トラフィックの制御部又はデータ部を備える請求項１１に記載の装置。
【請求項１４】
前記優先権は、多搬送波トラフィックの制御部及びデータ部の目標送信電力又は送信電力比を備える請求項１１に記載の装置。
【請求項１５】
前記パーシングモジュールは、前記モバイルデバイスの前記第１のサブセットのＵＬ送信能力及び前記モバイルデバイスの前記第２のサブセットのＵＬ送信能力を取得し、
前記スケジューリングモジュールは、モバイルデバイスの前記第１のサブセットを単一搬送波ＵＬ送信に制約し及び前記モバイルデバイスの前記第２のサブセットのための単一搬送波又は多搬送波ＵＬ送信を容易にするそれぞれのＵＬ送信能力に基づいて前記モバイルデバイスの前記セットのためのＵＬリソーススケジュールを生成する請求項１１に記載の装置。
【請求項１６】
前記優先権は、前記制御部及び前記データ部が多搬送波送信として同時並行してではなく別々の単一搬送波ＵＬ送信として送信されるべきであること、及び、前記制御部が前記データ部の前に送信されるべきであることを示す請求項１３に記載の装置。
【請求項１７】
周波数分割多元接続アップリンクに関わる無線通信のために構成された装置であって、
モバイルデバイスの集団のためのアップリンク（ＵＬ）送信スケジュールを生成するための手段であって、プロセッサは、単一搬送波ＵＬ送信に限定されるモバイルデバイスの第１のサブセット及び少なくとも多搬送波ＵＬ送信のために構成された前記モバイルデバイスの第２のサブセットを特定し、単一搬送波制約に基づいてモバイルデバイスの前記集団の前記第１のサブセットにＵＬリソースを割り当て、さらに、前記プロセッサは、前記単一搬送波制約なしにモバイルデバイスの前記集団の前記第２のサブセットにＵＬリソースを割り当てる、手段と、
モバイルデバイスの前記集団にダウンリンクで前記ＵＬ送信スケジュールを送信するための手段と、
前記モバイルデバイスの前記集団の前記第２のサブセットのモバイルデバイスのＵＬ送信のためのＵＬ送信電力を指定するための手段と、
前記モバイルデバイスによって送信された多搬送波トラフィックのサブセットのための優先権を設定するための手段であって、前記優先権は、前記モバイルデバイスが最大送信電力に制約される場合は前記多搬送波トラフィックの制御部のための目標送信電力を設定し、さらに、前記優先権は、データトラフィックが前記最大送信電力と前記目標送信電力の差を超えない電力で送信されるべきであることを示す、手段と、
を備え、
前記ＵＬ送信電力を指定するための前記手段は、前記ＵＬ送信が単一搬送波方式で送信される場合は第１のＵＬ送信電力値及び前記ＵＬ送信が多搬送波方式で送信される場合は第２のＵＬ送信電力値を指定し、
前記第２のＵＬ送信電力値は、データ送信電力値と、前記データ送信電力値とは異なる制御送信電力値とを備える、装置。
【請求項１８】
基地局に接続され、周波数分割多元接続アップリンクシステムにおける無線通信のために構成された少なくとも１つのプロセッサであって、
モバイルデバイスの集団のためのアップリンク（ＵＬ）送信スケジュールを生成するモジュールであって、前記プロセッサは、単一搬送波ＵＬ送信に限定されるモバイルデバイスの第１のサブセット及び少なくとも多搬送波ＵＬ送信のために構成された前記モバイルデバイスの第２のサブセットを特定し、単一搬送波制約に基づいてモバイルデバイスの前記集団の前記第１のサブセットにＵＬリソースを割り当て、さらに、前記プロセッサは、前記単一搬送波制約なしにモバイルデバイスの前記集団の前記第２のサブセットにＵＬリソースを割り当てる、モジュールと、
モバイルデバイスの前記集団にダウンリンクで前記ＵＬ送信スケジュールを送信するモジュールと、
前記モバイルデバイスの前記集団の前記第２のサブセットのモバイルデバイスのＵＬ送信のためのＵＬ送信電力を指定するモジュールと、
前記モバイルデバイスによって送信された多搬送波トラフィックのサブセットのための優先権を設定するモジュールであって、前記優先権は、前記モバイルデバイスが最大送信電力に制約される場合は前記多搬送波トラフィックの制御部のための目標送信電力を設定し、さらに、前記優先権は、データトラフィックが前記最大送信電力と前記目標送信電力の差を超えない電力で送信されるべきであることを示す、モジュールと、
を備え、
前記ＵＬ送信電力を指定する前記モジュールは、前記ＵＬ送信が単一搬送波方式で送信される場合は第１のＵＬ送信電力値及び前記ＵＬ送信が多搬送波方式で送信される場合は第２のＵＬ送信電力値を指定し、
前記第２のＵＬ送信電力値は、データ送信電力値と、前記データ送信電力値とは異なる制御送信電力値とを備える、プロセッサ。
【請求項１９】
コンピュータプログラム製品であって、
モバイルデバイスの集団のためのアップリンク（ＵＬ）送信スケジュールを生成することをコンピュータに行わせるためのコードであって、プロセッサは、単一搬送波ＵＬ送信に限定されるモバイルデバイスの第１のサブセット及び少なくとも多搬送波ＵＬ送信のために構成された前記モバイルデバイスの第２のサブセットを特定し、単一搬送波制約に基づいてモバイルデバイスの前記集団の前記第１のサブセットにＵＬリソースを割り当て、さらに、前記プロセッサは、前記単一搬送波制約なしにモバイルデバイスの前記集団の前記第２のサブセットにＵＬリソースを割り当てる、コードと、
モバイルデバイスの前記集団にダウンリンクで前記ＵＬ送信スケジュールを送信することを前記コンピュータに行わせるためのコードと、
前記モバイルデバイスの前記集団の前記第２のサブセットのモバイルデバイスのＵＬ送信のためのＵＬ送信電力を指定することを前記コンピュータに行わせるためのコードと、
前記モバイルデバイスによって送信された多搬送波トラフィックのサブセットのための優先権を設定するためのコードであって、前記優先権は、前記モバイルデバイスが最大送信電力に制約される場合は前記多搬送波トラフィックの制御部のための目標送信電力を設定し、さらに、前記優先権は、データトラフィックが前記最大送信電力と前記目標送信電力の差を超えない電力で送信されるべきであることを示す、コードと、
を備え、
前記ＵＬ送信電力を指定することを前記コンピュータに行わせるための前記コードはさらに、前記ＵＬ送信が単一搬送波方式で送信される場合は第１のＵＬ送信電力値及び前記ＵＬ送信が多搬送波方式で送信される場合は第２のＵＬ送信電力値を指定することを前記コンピュータに行わせ、
前記第２のＵＬ送信電力値は、データ送信電力値と、前記データ送信電力値とは異なる制御送信電力値とを備える、
周波数分割多元接続アップリンクシステムにおける無線通信のために構成された、非一時的なコンピュータによって読み取り可能な媒体、
を備える、コンピュータプログラム製品。
【請求項２０】
周波数分割多元接続アップリンク（ＦＤＭＡ  ＵＬ）を採用する無線通信方法であって、
モバイルデバイスによって、前記ＦＤＭＡ  ＵＬでのＵＬトラフィックの送信のための電力スケジュールを取得することと、
前記モバイルデバイスによって、前記電力スケジュールにおいて指定される前記ＵＬトラフィックの１つのサブセットに割り当てられたトラフィック優先権にしたがって前記ＵＬトラフィックのそれぞれのサブセットのための送信スケジュールを生成することと、
前記モバイルデバイスによって、前記送信スケジュールにしたがって多搬送波ＵＬトラフィックを送信することであって、共通の時間サブフレームまたは時間サブスロットのそれぞれのＰＵＣＣＨおよびＰＵＳＣＨリソースにおいて前記ＦＤＭＡ  ＵＬで同時に前記ＵＬトラフィックのそれぞれのサブセットを送信することを含む、送信することと、
を備え、
前記トラフィック優先権にしたがって前記ＵＬトラフィックのそれぞれのサブセットのための送信スケジュールを生成することが、さらに、前記ＵＬトラフィックの制御部について、前記ＵＬトラフィックの非制御部よりも高い重要度を設定することを含み、
前記ＵＬトラフィックの非制御部よりも高い重要度を前記制御部について設定することは、さらに、
前記電力スケジュールからターゲット送信電力を取得し、前記ターゲット送信電力を前記制御部の送信のために適用することと、
前記ターゲット送信電力と送信電力制約との差分から送信電力の残分を計算することと、
前記ＵＬトラフィックの前記非制御部に送信電力の残分を適用することと、を含む、方法。
【請求項２１】
第３世代パートナーシッププロジェクトロングタームエボリューション無線通信システムに実装された請求項２０に記載の方法。
【請求項２２】
前記ＵＬトラフィックの非制御部よりも高い重要度を前記ＵＬトラフィックの前記制御部について設定することは、前記ＵＬトラフィックの前記制御部及び第２の部分を別個の単一搬送波送信として送信することをさらに備える、請求項２０に記載の方法。
【請求項２３】
前記ＵＬトラフィックを送信するために前記ＦＤＭＡ  ＵＬの全スペクトル帯域幅を使用することをさらに備える、請求項２０に記載の方法。
【請求項２４】
前記制御部を備える単一搬送波送信は、前記第２の部分を備える単一搬送波送信よりも前に送信される、請求項２２に記載の方法。
【請求項２５】
前記ＵＬトラフィックは、前記ＦＤＭＡ  ＵＬの単一のサブフレームで送信された制御トラフィックとデータトラフィックとを備える、請求項２３に記載の方法。
【請求項２６】
第３世代パートナーシッププロジェクトロングタームエボリューション無線ネットワーク（ＬＴＥネットワーク）との無線通信のために構成された装置であって、
アップリンクでＬＴＥネットワークに無線情報を送信し及びダウンリンクで前記ＬＴＥネットワークから無線情報を受信するための無線トランシーバを採用する通信インタフェースと、
前記ＬＴＥネットワークとの多搬送波アップリンク送信を容易にすることに関する命令を格納するためのメモリと、
前記多搬送波アップリンク送信を実装するモジュールを実行するためのデータプロセッサと、を備え、前記モジュールは、
前記装置のために単一搬送波アップリンク送信と多搬送波アップリンク送信との間で選択する調停モジュールと、
前記無線トランシーバによるアップリンク送信のための制御情報のセット及びデータ情報のセットを特定し、及び、前記調停モジュールによって行われた選択に依存して、それらのそれぞれのＰＵＣＣＨおよびＰＵＳＣＨリソースにおける同時送信のために１つのサブフレームに、又は複数のサブフレームに、制御情報の前記セット及びデータ情報の前記セットを割り当てるスケジューリングモジュールと、
モバイルデバイスによって送信された多搬送波トラフィックのサブセットのための優先権を設定する調停モジュールであって、前記優先権は、前記モバイルデバイスが最大送信電力に制約される場合は前記多搬送波トラフィックの制御部のための目標送信電力を設定し、さらに、前記優先権は、データトラフィックが前記最大送信電力と前記目標送信電力の差を超えない電力で送信されるべきであることを示す、調停モジュールと、
制御送信電力値と、前記制御送信電力値とは異なるデータ送信電力値とを含む、制御情報の前記セットおよびデータ情報の前記セットに、アップリンク送信電力をそれぞれ割り当てる電力モジュールと
を備える、第３世代パートナーシッププロジェクトロングタームエボリューション無線ネットワーク（ＬＴＥネットワーク）との無線通信のために構成された装置。
【請求項２７】
制御情報の前記セットのための制御送信電力を設定する第１の電力制御ループと、データ情報の前記セットのためのデータ送信電力を設定する第２の電力制御ループと、をさらに備える請求項２６に記載の装置。
【請求項２８】
前記電力モジュールは、前記ＬＴＥネットワークによって提供された電力制約及び相対的優先権から前記それぞれのアップリンク送信電力のそれぞれの値を決定する請求項２６に記載の装置。
【請求項２９】
前記スケジューリングモジュールは、制御及びデータトラフィックに割り当てられるアップリンクサブフレーム又はサブスロットのスペクトル帯域幅全体に制御情報の前記セット及びデータ情報の前記セットを割り当てる請求項２６に記載の装置。
【請求項３０】
前記調停モジュールは、前記ＬＴＥネットワークからのコマンドに少なくとも部分的に基づいて単一搬送波と多搬送波との間で選択する請求項２６に記載の装置。
【請求項３１】
前記調停モジュールは、前記ＬＴＥネットワークによって設定された送信電力制約に少なくとも部分的に基づいて単一搬送波と多搬送波との間で選択する請求項２６に記載の装置。
【請求項３２】
前記第１の電力制御ループ及び前記第２の電力制御ループは、電力損失推定のために開ループコンポーネントを採用し、及びそれぞれのベース送信電力を生成するためにそれぞれの閉ループコンポーネントを採用する請求項２７に記載の装置。
【請求項３３】
前記調停モジュールは、前記送信電力制約が目標制御送信電力又は最小データ送信電力を許容しない場合は単一搬送波を選択し、さらに、前記スケジューリングモジュールは、データ情報の前記セットよりも優先される送信優先権を制御情報の前記セットに与える請求項３１に記載の装置。
【請求項３４】
第３世代パートナーシッププロジェクトロングタームエボリューション無線ネットワーク（ＬＴＥネットワーク）との無線通信のために構成された装置であって、
アップリンクでＬＴＥネットワークに無線情報を送信し及びダウンリンクで前記ＬＴＥネットワークから無線情報を受信するための無線トランシーバを採用する通信インタフェースと、
前記ＬＴＥネットワークとの多搬送波アップリンク送信を容易にすることに関する命令を格納するためのメモリと、
前記多搬送波アップリンク送信を実装するモジュールを実行するためのデータプロセッサと、を備え、前記モジュールは、
前記装置のために単一搬送波アップリンク送信と多搬送波アップリンク送信との間で選択する調停モジュールと、
前記無線トランシーバによるアップリンク送信のための制御情報のセット及びデータ情報のセットを特定し、及び、前記調停モジュールによって行われた選択に依存して、それらのそれぞれのＰＵＣＣＨおよびＰＵＳＣＨリソースにおける同時送信のために１つのサブフレームに、又は複数のサブフレームに、制御情報の前記セット及びデータ情報の前記セットを割り当てるスケジューリングモジュールと、
制御情報の前記セット及びデータ情報の前記セットにそれぞれのアップリンク送信電力を割り当てる電力モジュールと、
制御情報の前記セットのための制御送信電力を設定する第１の電力制御ループと、データ情報の前記セットのためのデータ送信電力を設定する第２の電力制御ループと、を備え、
前記第１の電力制御ループ及び前記第２の電力制御ループは、電力損失推定のために開ループコンポーネントを採用し、及びそれぞれのベース送信電力を生成するためにそれぞれの閉ループコンポーネントを採用し、
前記開ループコンポーネントは、前記無線トランシーバでの受信電力損失を推定し、及び前記装置と前記ＬＴＥネットワークとの間での電力損失を補償するためのアップリンク電力オフセットを生成し、
前記電力モジュールは、前記ＬＴＥネットワークから取得されたそれぞれのデータ及び制御電力コマンドからベースデータ送信電力及びベース制御送信電力を復号し、及び
前記第１の電力制御ループは、前記制御送信電力を導き出すために前記アップリンク電力オフセットを第１の閉ループコンポーネントによって生成された前記ベース制御送信電力と結合させ、及び、前記第２の電力制御ループは、前記データ送信電力を導き出すために前記アップリンク電力オフセット及び第２の閉ループコンポーネントによって生成された前記ベースデータ送信電力を結合させる、装置。
【請求項３５】
第３世代パートナーシッププロジェクトロングタームエボリューション無線ネットワーク（ＬＴＥネットワーク）との無線通信のために構成された装置であって、
アップリンクでＬＴＥネットワークに無線情報を送信し及びダウンリンクで前記ＬＴＥネットワークから無線情報を受信するための無線トランシーバを採用する通信インタフェースと、
前記ＬＴＥネットワークとの多搬送波アップリンク送信を容易にすることに関する命令を格納するためのメモリと、
前記多搬送波アップリンク送信を実装するモジュールを実行するためのデータプロセッサと、を備え、前記モジュールは、
前記装置のために単一搬送波アップリンク送信と多搬送波アップリンク送信との間で選択する調停モジュールと、
前記無線トランシーバによるアップリンク送信のための制御情報のセット及びデータ情報のセットを特定し、及び、前記調停モジュールによって行われた選択に依存して、それらのそれぞれのＰＵＣＣＨおよびＰＵＳＣＨリソースにおける同時送信のために１つのサブフレームに、又は複数のサブフレームに、制御情報の前記セット及びデータ情報の前記セットを割り当てるスケジューリングモジュールと、
制御情報の前記セット及びデータ情報の前記セットにそれぞれのアップリンク送信電力を割り当てる電力モジュールと、を備え、
前記電力モジュールは、
前記ＬＴＥネットワークによって提供された電力制約及び相対的優先権から前記それぞれのアップリンク送信電力のそれぞれの値を決定し、
前記相対的優先権に基づいて制御情報の前記セット又はデータ情報の前記セットを優先送信として設定し、
前記優先送信のために指定された最小送信電力を特定し、
前記優先送信に前記最小送信電力を割り当て、及び、非優先送信に前記最小送信電力と前記電力制約との差を割り当てる、装置。
【請求項３６】
周波数分割多元接続（ＦＤＭＡ）アップリンクを採用する無線通信のための装置であって、
無線ネットワークからアップリンク電力制約を取得するための手段と、
前記アップリンク電力制約に少なくとも部分的に基づいて単一搬送波アップリンク送信と多搬送波アップリンク送信との間で選択するための手段と、
前記装置によるアップリンク送信のために制御情報のセット及びデータ情報のセットを特定し、多搬送波の選択に応答して同時送信のためにそれぞれのＰＵＣＣＨおよびＰＵＳＣＨリソースの１つのサブフレームに、又は単一搬送波の選択に応答して複数のサブフレームに、制御情報の前記セット及びデータ情報の前記セットを割り当てるための手段と、
モバイルデバイスによって送信された多搬送波トラフィックのサブセットのための優先権を設定するための手段であって、前記優先権は、前記モバイルデバイスが最大送信電力に制約される場合は前記多搬送波トラフィックの制御部のための目標送信電力を設定し、さらに、前記優先権は、データトラフィックが前記最大送信電力と前記目標送信電力の差を超えない電力で送信されるべきであることを示す、手段と、
制御送信電力値と、前記制御送信電力値とは異なるデータ送信電力値とを含む、制御情報の前記セットおよびデータ情報の前記セットに、アップリンク送信電力をそれぞれ割り当てるための手段と
を備える、装置。
【請求項３７】
モバイルデバイスに接続され、周波数分割多元接続（ＦＤＭＡ）アップリンクを利用する無線通信のために構成された少なくとも１つのプロセッサであって、
ＦＤＭＡネットワークからアップリンク電力制約を取得するモジュールと、
前記アップリンク電力制約に少なくとも部分的に基づいて単一搬送波アップリンク送信と多搬送波アップリンク送信との間で選択するモジュールと、
アップリンク送信のために制御情報のセット及びデータ情報のセットを特定し、及び、多搬送波の選択に応答して同時送信のためにそれぞれのＰＵＣＣＨおよびＰＵＳＣＨリソースの１つのサブフレームに、又は単一搬送波の選択に応答して複数のサブフレームに、制御情報の前記セット及びデータ情報の前記セットを割り当てるモジュールと、
前記モバイルデバイスによって送信された多搬送波トラフィックのサブセットのための優先権を設定するモジュールであって、前記優先権は、前記モバイルデバイスが最大送信電力に制約される場合は前記多搬送波トラフィックの制御部のための目標送信電力を設定し、さらに、前記優先権は、データトラフィックが前記最大送信電力と前記目標送信電力の差を超えない電力で送信されるべきであることを示す、モジュールと、
制御送信電力値と、前記制御送信電力値とは異なるデータ送信電力値とを含む、制御情報の前記セットおよびデータ情報の前記セットに、アップリンク送信電力をそれぞれ割り当てるモジュールと
を備える、プロセッサ。
【請求項３８】
コンピュータプログラム製品であって、
周波数分割多元接続（ＦＤＭＡ）ネットワークからアップリンク電力制約を取得することをコンピュータに行わせるためのコードと、
前記アップリンク電力制約に少なくとも部分的に基づいて単一搬送波アップリンク送信と多搬送波アップリンク送信との間で選択することを前記コンピュータに行わせるためのコードと、
アップリンク送信のための制御情報のセット及びデータ情報のセットを特定し、及び、多搬送波の選択に応答して同時送信のためにそれぞれのＰＵＣＣＨおよびＰＵＳＣＨリソースの１つのサブフレームに、又は単一搬送波の選択に応答して複数のサブフレームに、制御情報の前記セット及びデータ情報の前記セットを割り当てることを前記コンピュータに行わせるためのコードと、
モバイルデバイスによって送信された多搬送波トラフィックのサブセットのための優先権を設定することを前記コンピュータに行わせるためのコードであって、前記優先権は、前記モバイルデバイスが最大送信電力に制約される場合は前記多搬送波トラフィックの制御部のための目標送信電力を設定し、さらに、前記優先権は、データトラフィックが前記最大送信電力と前記目標送信電力の差を超えない電力で送信されるべきであることを示す、コードと、
制御送信電力値と、前記制御送信電力値とは異なるデータ送信電力値とを含む、制御情報の前記セットおよびデータ情報の前記セットに、アップリンク送信電力をそれぞれ割り当てることを前記コンピュータに行わせるためのコードと
を備える、周波数分割多元接続（ＦＤＭＡ）アップリンク無線システムにおける無線通信のために構成された、非一時的なコンピュータによって読み取り可能な媒体、
を備えるコンピュータプログラム製品。